(57)【要約】 【課題】Ｗｅｂの知識に乏しくＷｅｂサイトの構築に不慣れな人でも、Ｗｅｂサイト上で電子的なチラシ広告や折込広告を容易に提供できるようにする。【解決手段】ウェブ上で電子的なチラシ広告または折込広告を提供する広告サイトの広告テンプレート情報をサーバ装置３に用意しておく。クライアント端末１からサーバ装置３に商品情報と広告情報が登録される。クライアント端末６から広告問い合わせを受けると、サーバ装置３が商品情報と広告情報と広告テンプレート情報とを加工して広告サイトを自動的に作成する。【選択図】        図１
2007122347.tif 000002
【特許請求の範囲】
【請求項１】
クライアント端末とサーバ装置とが通信ネットワークを介して接続可能に構成された広告システムであって、
上記クライアント端末は、広告に載せる商品に関する商品情報を、上記通信ネットワークを介して上記サーバ装置に送信する商品情報送信手段を備え、
上記サーバ装置は、上記商品情報送信手段により送られてきた商品情報を受信して記録媒体に記録することにより、上記商品情報を登録する商品情報登録手段と、
上記通信ネットワークを利用したウェブ上で電子的なチラシ広告または折込広告を提供する広告サイトの広告テンプレート情報をあらかじめ保存している広告テンプレート記憶手段と、
上記商品情報登録手段により登録された商品情報および上記広告テンプレート記憶手段に保存されている広告テンプレート情報を用いて、上記電子的なチラシ広告または折込広告を提供する広告サイトを作成する広告サイト作成手段とを備えたことを特徴とする広告システム。
【請求項２】
上記サーバ装置は、上記通信ネットワークを利用したウェブ上で商品の販売を行うＥＣサイトのＥＣテンプレート情報をあらかじめ保存しているＥＣテンプレート記憶手段と、
上記商品情報登録手段により登録された商品情報および上記ＥＣテンプレート記憶手段に保存されているＥＣテンプレート情報を用いて、上記ＥＣサイトを作成するＥＣサイト作成手段とを備えたことを特徴とする請求項１に記載の広告システム。
【発明の詳細な説明】
【技術分野】
【０００１】
本発明は広告システムに関し、特に、電子的なチラシ広告や折込広告をインターネットのＷｅｂサイト上で提供するシステムに用いて好適なものである。
【背景技術】
【０００２】
従来、店舗が出すチラシ広告や折込広告は、紙媒体が主流であった。これに対して、最近では、インターネットのＷｅｂサイト上で電子的なチラシ広告や折込広告を提供することも行われている。Ｗｅｂサイト上で広告を提供するためには、広告を提供するためのＷｅｂサイト自体を構築するとともに、そのＷｅｂサイトに載せる広告データも作成してアップロードする必要がある。
【０００３】
しかしながら、Ｗｅｂの知識に乏しくＷｅｂサイトの構築に不慣れな人がこれを行うのは非常に困難であった。況してそのような人が、単に広告を提供するだけのＷｅｂサイトでなく、物販まで行う電子商取引サイト（ＥＣサイト）を構築することは、殆ど不可能であった。そのため、Ｗｅｂサイトの構築を専門に行う業者に依頼して作成してもらっているというのが現状である。
【０００４】
この場合、チラシ広告や折込広告を提供する広告サイトと、物販を行うＥＣサイトは、別々に作成される。そして、従来は、広告サイトの構築のためと、ＥＣサイトの構築のために、同じ商品情報等を別々に登録していた。しかし、これではあまりにも効率が悪すぎる。また、利用者の立場からしても、広告サイトとＥＣサイトとが連動していないのは、極めて利便性の悪いものであった。
【０００５】
また、一般的に、Ｗｅｂサイトで提供する電子的なチラシ広告や折込広告は、巨大なイメージファイル（例えば、ｇｉｆ，ｊｐｅｇ，ｐｄｆなどの形式）で作成されている。あくまで、チラシ広告や折込広告をイメージベースでＷｅｂサイトに載せているだけである。そのため、見た目はいいが、表示要求が出されてから実際に表示が行われるまでのレスポンスが遅いという問題があった。また、Ｗｅｂサイト上で情報が整理されておらず、所望の広告をワード検索によって探し出すことが非常に難しいという問題もあった。
【発明の開示】
【発明が解決しようとする課題】
【０００６】
本発明は、このような問題を解決するために成されたものであり、以下のことを実現できるようにすることを目的とする。すなわち、広告サイト利用者の観点からは、
１．一覧性にすぐれ、キーワード検索等によって情報を探しやすいこと。
２．欲しい情報を事前登録しておくと、それにマッチした最新の広告情報がメールで配送されてくること。
３．同一業種毎に似た広告表示情報にすることにより、店舗の情報を比較しやすいこと。
４．携帯電話だけでネット利用を済ませる人も多いことから、パーソナルコンピュータ（以下、パソコン）を利用してＷｅｂサイト上で見ることができるのとほぼ同じ情報（特に文字情報）を、携帯電話から見ることができること。
５．広告を閲覧するだけでなく、クーポン券取得、プレゼント申込、商品予約申込も同時にできること。
【０００７】
また、広告情報提供者（つまり店舗側）の観点からは、
１．広告を出す出稿手続きが簡単であること。
２．一度の情報登録で、パソコン用のＷｅｂサイトと携帯電話用のＷｅｂサイトとの両方にデータ登録ができること。
３．一旦登録した情報を、紙媒体の広告を作成するときの元ネタとして、再利用できること（ＰＤＦ（ｐｏｒｔａｂｌｅ ｄｏｃｕｍｅｎｔ ｆｏｒｍａｔ）生成、テキストファイル取り出し等）。
４．サイト利用者のうち、自社広告へアクセスしている人達の履歴や傾向等の統計情報を取得できること。
５．広告費支払いの決済方法が簡単であること。
６．販売事業者だけでなく、製造事業者も商品情報提供、企業広告の場として利用できること。
７．情報登録が頻繁な場合や複雑な場合、エージェント（町の広告代理店や付き合いのある印刷所）を指定することにより、そのエージェントが該当店舗の代理登録を行えること。
８．広告情報提供者が希望すれば、登録済みの会社・広告情報を基にネットショップを自動生成できるようにすること（オープンソースのパソコン・携帯電話連動型ＥＣパッケージを採用）。
９．ネットショップでの登録情報と、広告サイトでの登録情報を自動交換する      仕組みを提供すること。
【課題を解決するための手段】
【０００８】
上記した課題を解決するために、本発明の広告システムでは、ウェブ上で電子的なチラシ広告または折込広告を提供する広告サイトの広告テンプレート情報をサーバ装置に用意しておき、クライアント端末からサーバ装置に商品情報と広告情報が送信されると、それをサーバ装置内に格納しておく。サーバ装置はクライアント端末から広告問い合わせを受けると、その商品情報、広告情報と広告テンプレートとを加工して広告サイトを自動的に作成するようにしている。
【０００９】
本発明の他の態様では、ウェブ上で商品の販売を行うＥＣサイトのＥＣテンプレート情報をサーバ装置に用意しておき、クライアント端末からサーバ装置に商品情報が送信されると、それをサーバ装置内に格納しておく。サーバ装置は、クライアント端末から商品問い合わせを受けると、その商品情報とＥＣテンプレート情報を加工してＥＣサイトを自動的に作成するようにしている。
【発明の効果】
【００１０】
上記のように構成した本発明によれば、Ｗｅｂの知識に乏しくＷｅｂサイトの構築に不慣れな人でも、広告に載せたい商品に関する商品情報をサーバ装置に登録するだけで、Ｗｅｂサイト上で電子的なチラシ広告や折込広告を容易に提供できるようになる。また、本発明の他の特徴によれば、Ｗｅｂの知識に乏しくＷｅｂサイトの構築に不慣れな人でも、販売したい商品に関する商品情報をサーバ装置に登録するだけで、その商品の販売を行うＥＣサイトを容易に提供できるようになる。
【発明を実施するための最良の形態】
【００１１】
以下、本発明の一実施形態を図面に基づいて説明する。図１および図２は、本実施形態の広告システムの構成例を示す図である。図１において、１は小売店が使用するクライアント端末、２はメーカーが使用するクライアント端末である。３は広告サイトを提供するサーバ装置、４はＥＣサイトを提供するサーバ装置、５は広告代理店が使用するクライアント端末、６は一般消費者が使用するクライアント端末である。小売店のクライアント端末１、メーカーのクライアント端末２および広告代理店のクライアント端末５は、例えばパソコンで構成される。一般消費者のクライアント端末６は、パソコンまたは携帯電話で構成される。広告サイトを提供するサーバ装置３とＥＣサイトを提供するサーバ装置４は同じものである。
【００１２】
小売店端末１は、広告サイトやＥＣサイトの立ち上げを希望する各小売店が使用するものであり、本発明の商品情報送信手段を備えている。メーカー端末２は、小売店で販売する商品のメーカーが使用するものであり、これも本発明の商品情報送信手段を備えている。広告代理店端末５は、広告サイトやＥＣサイトの立ち上げを希望する小売店またはメーカーを探す営業の役割を担う広告代理店が使用するものであり、小売店やメーカーに関する情報をサーバ装置に送信して登録する手段を備えている。
【００１３】
サーバ装置３，４は、広告サイトやＥＣサイトを作成して提供する機能をもつ。すなわち、サーバ装置３，４は、本発明の商品情報登録手段、広告テンプレート記憶手段、広告サイト作成手段、ＥＣテンプレート記憶手段およびＥＣサイト作成手段を備えている。なお、折込広告に出しやすい業種には偏りがある（不動産、自動車、スーパー、ドラッグストア、家電量販店などが多い）。折込広告ではなくチラシ広告のポスティングに注力している業種もある（引越しやリフォームなど）。また、業種毎に折込広告フォームはかなりパターン化できる。そこで、本実施形態では、十数種類程度の業種をターゲットにパターン化してテンプレートを用意している。
【００１４】
図１および図２に示したような広告システムにおいて、既存の小売店が、日常販促のため打っている紙ベースのチラシ広告や折込広告と同じ内容（商品情報、特売情報、その他イベント情報等）をサーバ装置にデータ登録する。そして、サーバ装置がそのデータを基に、広告サイトや広告配信メールを自動的に作成する。かつ、登録された情報をＥＣサイトにも反映して、一般消費者にタイムリーに提供する。
【００１５】
本実施形態の広告システムでは、広告サイトやＥＣサイトを利用する利用者向けに、以下のサービスを提供する。
１．見やすく、検索しやすい地域店舗の広告情報のネット提供サービス
２．欲しい店舗や地域に関するキーワードをサーバ装置に事前登録しておくと、それにマッチした最新の広告情報がメールで配送されるサービス
３．パソコン上のＷｅｂサイトで見れる広告情報とほぼ同じ情報を、携帯電話用のＷｅｂサイトでも提供するサービス
４．広告に関連したクーポン券取得、プレゼント申込、商品予約申込も同時にできるサービス
５．広告対象の商品に関してメーカー提供の詳細情報を見ることができるサービス
６．特定広告に関連する商品情報、特定商品に関する広告をクロス参照できるサービス
７．各店の広告から必要なものをピックアップし、一般消費者端末６（パソコンや携帯電話）に買い物メモを作成できるサービス
８．広告商品のうち、何がネットで購入できるかを知ることができ、即座にその店のＥＣサイトへジャンプすることができるサービス
９．逆にショップのＥＣサイトから最新の広告ページにジャンプすることができるサービス
１０．自宅や職場等の特定位置を中心に、ネット広告をうっているお店の情報を地理的に近い順に見るサービス
１１．同一業種毎に似た広告表示情報にすることにより、お店の情報を比較しやすいようにするサービス
【００１６】
また、広告情報提供者である小売店向けには、以下のサービスを提供する。
１．気軽で簡単なデータ登録を行うだけで、パソコン用のＷｅｂサイトと携帯電話用のＷｅｂサイトの両方に広告を出すことができるサービス
２．広告情報の登録時、第三者が登録した商品基本情報（主にメーカー提供情報）を利用できるサービス
３．一旦登録した情報を、再利用のため簡単に取り出すことができるサービス    （ＰＤＦ生成、テキストファイル取り出しなど）
４．有償でネット広告を出す前に、登録した情報がパソコン用のＷｅｂサイトや携帯電話用のＷｅｂサイトでどう見えるかを事前に確認することができるサービス
５．自社広告へアクセスしている人達の履歴や傾向等の統計情報を伝えるサービス
６．ネット広告の支払いを、銀行振込以外にカード決済、コンビニ決済で済ますことができるサービス
７．メーカーとして商品情報提供、企業広告を出すことができるサービス（ＢｔｏＣ）
８．メーカーからサイト会員の販売店の仕入部門宛てに、最新情報、お得情報を流すサービス（ＢｔｏＢ）
９．情報登録が頻繁な場合や大量にある場合、エージェント登録している業者（主に、広告代理店、印刷会社を想定）に一括登録、修正を依頼することができるサービス
１０．お店の疑似ホームページとして、店舗情報のページ（ＵＲＬ）を持つことができるサービス
１１．オプションで、広告に連動したＥＣサイトを自動生成して提供するサービス（広告サイトで登録したデータをＥＣサイトに自動反映、ＥＣサイトで登録したデータを広告サイトに自動反映）
【００１７】
図３〜図１０は、本実施形態による広告サービスの機能一覧を示す図である。図１１は、パソコン用の広告サイトのトップページを示す図である。図１２は、パソコン用の広告サイトにおける特売セールのページを示す図である。図１３は、携帯電話用の広告サイトのトップページを示す図である。図１４は、携帯電話用の広告サイトにおける特売セールのページを示す図である。図１５は、広告主（プロバイダ）会員のパソコン上に表示されるトップページを示す図である。図１６は、広告主のパソコン上に表示される広告データ登録ページを示す図である。
【図面の簡単な説明】
【００１８】
【図１】本実施形態の広告システムの構成例を示す図である。
【図２】本実施形態の広告システムの構成例を示す図である。
【図３】本実施形態による広告サービスの機能一覧を示す図である。
【図４】本実施形態による広告サービスの機能一覧を示す図である。
【図５】本実施形態による広告サービスの機能一覧を示す図である。
【図６】本実施形態による広告サービスの機能一覧を示す図である。
【図７】本実施形態による広告サービスの機能一覧を示す図である。
【図８】本実施形態による広告サービスの機能一覧を示す図である。
【図９】本実施形態による広告サービスの機能一覧を示す図である。
【図１０】本実施形態による広告サービスの機能一覧を示す図である。
【図１１】パソコン用の広告サイトのトップページを示す図である。
【図１２】パソコン用の広告サイトにおける特売セールのページを示す図である。
【図１３】携帯電話用の広告サイトのトップページを示す図である。
【図１４】携帯電話用の広告サイトにおける特売セールのページを示す図である。
【図１５】広告主（プロバイダ）会員のパソコン上に表示されるトップページを示す図である。
【図１６】広告主のパソコン上に表示される広告データ登録ページを示す図である。
【符号の説明】
【００１９】
１  小売店が使用するクライアント端末
２  メーカーが使用するクライアント端末
３  広告サイトを提供するサーバ装置
４  ＥＣサイトを提供するサーバ装置
５  広告代理店が使用するクライアント端末
６  一般消費者が使用するクライアント端末
【図１】
2007122347.tif 000003
【図２】
2007122347.tif 000004
【図３】
2007122347.tif 000005
【図４】
2007122347.tif 000006
【図５】
2007122347.tif 000007
【図６】
2007122347.tif 000008
【図７】
2007122347.tif 000009
【図８】
2007122347.tif 000010
【図９】
2007122347.tif 000011
【図１０】
2007122347.tif 000012
【図１１】
2007122347.tif 000013
【図１２】
2007122347.tif 000014
【図１３】
2007122347.tif 000015
【図１４】
2007122347.tif 000016
【図１５】
2007122347.tif 000017
【図１６】
2007122347.tif 000018